(57)【特許請求の範囲】
【請求項１】
ブランケット胴と、
１回転で１印刷単位長さのＮ倍（Ｎは２以上の整数）の長さを印刷する刷版を装着可能な周長の版胴と、
インキ供給機構と、
を有する元のオフセット輪転印刷機から、新たなオフセット輪転印刷機を製作する方法であって、
前記版胴を取り外す工程と、
１回転で１印刷単位長さの１倍の長さを印刷する刷版を装着できる周長を有する新たな版胴を、前記ブランケット胴に隣接して設ける工程と、
新たな版胴が前記取り外した版胴の回転数のＮ倍の回転数で駆動可能であるように、版胴駆動手段を改変するか、又は、新たな版胴駆動手段と置き換える工程と、
前記インキ供給機構を、新たな版胴に装着された刷版にインキを供給可能であるように改変するか、又は、新たなインキ供給機構と置き換える工程と、
前記ブランケット胴を、装着されたブランケット表面の直径が前記ブランケット胴と同一でありながらブランケット装着のための溝を変更した新たなブランケット胴と置き換える工程と、
を含む処理を実行することを特徴とするオフセット輪転印刷機の製作方法。
【請求項２】
請求項１に記載のオフセット輪転印刷機の製作方法において、
新たな版胴に装着された刷版に湿し水を供給可能であるように、湿し水供給機構を新設するか、又は、従前の湿し水供給機構を改変するか、若しくは、新たな湿し水供給機構と置き換える工程をさらに含むことを特徴とするオフセット輪転印刷機の製作方法。
【請求項３】
ブランケット胴と、
１回転で１印刷単位長さのＮ倍（Ｎは２以上の整数）の長さを印刷する刷版を装着できる周長を有する版胴と、
インキ供給機構と、
前記ブランケット胴、前記版胴、及び前記インキ供給機構が装着された従前のフレームと、
を有する元のオフセット輪転印刷機から、新たなオフセット輪転印刷機を製作する方法であって、
前記従前のフレームに取り付けられている前記ブランケット胴、前記版胴、及び前記インキ供給機構を取り外す工程と、
前記版胴に換えて、１回転で１印刷単位長さの１倍の長さを印刷する刷版を装着できる周長を有する新たな版胴を前記ブランケット胴又は新たなブランケット胴に隣接して取り付け可能であり、また、新たな版胴を前記取り外した版胴の回転数のＮ倍の回転数で駆動可能である版胴駆動手段を取り付け可能であり、さらに、新たな版胴に装着された刷版にインキを供給可能であるようにインキ供給機構を取り付け可能である新たなフレームと前記従前のフレームとを取り替える工程と、
前記新たなフレームに対して、前記新たな版胴を取り付ける工程と、
前記新たなフレームに対して、前記新たな版胴を前記取り外した版胴の回転数のＮ倍の回転数で駆動可能である版胴駆動手段を取り付ける工程と、
前記新たなフレームに対して、前記新たな版胴に装着された刷版にインキを供給可能であるインキ供給機構を取り付ける工程と、
前記新たなフレームに対して、前記ブランケット胴又は前記新たなブランケット胴を取り付ける工程と、
を含む処理を実行することを特徴とするオフセット輪転印刷機の製作方法。
【請求項４】
請求項３に記載のオフセット輪転印刷機の製作方法において、
前記新たなフレームに対して前記ブランケット胴又は前記新たなブランケット胴を取り付ける工程は、前記新たなフレームに、装着されたブランケット表面の直径が前記ブランケット胴と同一でありながらブランケット装着のための溝を変更した新たなブランケット胴を取り付ける工程であることを特徴とするオフセット輪転印刷機の製作方法。
【請求項５】
請求項３又は４に記載のオフセット輪転印刷機の製作方法において、
新たなフレームには、新たな版胴に装着された刷版に湿し水を供給可能であるように湿し水供給機構が取り付け可能であり、
新たな版胴に装着された刷版に湿し水を供給可能である湿し水供給機構を取り付ける工程をさらに含むことを特徴とするオフセット輪転印刷機の製作方法。
【発明の詳細な説明】
【技術分野】
【０００１】
本発明は、オフセット輪転印刷機の製作方法及びその製作方法で製作されたオフセット輪転印刷機に係り、特に、印刷単位長さのＮ倍（Ｎは２以上の整数）の長さを印刷する刷版を装着可能な周長を有する版胴を備えたオフセット輪転印刷機から、印刷単位長さの１倍の長さを印刷する刷版を装着する周長を有する版胴を備えたオフセット輪転印刷機を製作する方法及びこの方法によって製作されたオフセット印刷機に関するものである。
【背景技術】
【０００２】
従来から知られるオフセット輪転印刷機では、印刷速度と印刷品質のレベルを維持する観点から、ブランケット胴及び版胴の剛性をある程度以上確保するために、それら胴の軸方向の長さに対して適当な直径となるように、それら胴の周長を１印刷単位長さの１倍から複数倍の周長を有するような胴径が採用されている。すなわち、幅の広い連続紙に印刷可能な、胴の軸方向の長さが長いオフセット輪転印刷機では、胴の剛性を得るために、１印刷単位長さの複数倍の周長を有する胴径が採用されていた。
【０００３】
ここでいう１印刷単位長さとは、連続紙が、断裁機構によって連続紙の走行方向（長さ方向）と直角な方向に断裁される断裁位置によって区切られる、各断裁範囲に印刷される絵柄や文字の連続紙の走行方向長さ範囲のことである。
【０００４】
具体的な例として、新聞印刷を行う代表的なオフセット輪転印刷機（以下、「新聞印刷機」と記載する。）は、版胴の、刷版を取付ける周面のサイズが、軸方向では一般的な新聞（ブランケット判）１ページの横幅の４倍の長さを有し、周長方向では１ページの縦の長さ（１印刷単位長さ）の２倍の印刷を行う刷版を装着する周長を有しており、ブランケットが装着されたブランケット胴の周面のサイズも前記版胴と略同じである、所謂４×２（フォーバイツー）型と呼ばれるものが主流である（図５参照）。
【０００５】
ところで、昨今、周長が、従来であれば１印刷単位長さの複数倍の周長を必要とする軸方向長さである版胴を有するオフセット輪転印刷機においては、使用する刷版の量が少なくてすみ、オフセット輪転印刷機が小型化でき、それにともなうオフセット輪転印刷機の軽量化や、消費電力が少なくてすむ等の利点があることから、ブランケット胴のサイズは従来と同じでありながら、版胴の直径を従来のような１印刷単位長さの複数倍の周長となる直径ではなく、１印刷単位長さの１倍の周長となる直径である版胴としたオフセット輪転印刷機が提案された。また特に、新聞印刷機の分野にあっては、軸方向に新聞１ページの横幅の４倍の長さに対して、周長方向は新聞１ページの縦の長さの１倍の長さの刷版を装着可能な、所謂４×１（フォーバイワン）型と呼ばれる新聞印刷機が提案されている。
【０００６】
ここで、図８は、４×１型の新聞印刷機の１例である新聞印刷機Ｃ１の構成を示す断面図である。新聞印刷機Ｃ１は、連続紙Ｗの両面に印刷可能な新聞印刷機であり、連続紙Ｗを挟んで、ブランケット胴１３、版胴１２、インキ供給機構１４、湿し水供給機構１５がそれぞれ配置され、図示しないモーターによってそれらを回転駆動する構成となっている。
【０００７】
印刷中、版胴１２とブランケット胴１３とは、転写圧を有する接触をしながら互いに逆方向に回転している。ところが、４×１型の新聞印刷機の版胴１２は、軸方向長さに対して径が細いために剛性が低く、そのために版胴１２はブランケット胴１３との間の転写圧の反力によって、軸受け部を支点にブランケット胴１３から遠ざかる方向に生じる撓みが４×２型の新聞印刷機の版胴に比べて大きい。
【０００８】
そして、刷版を装着するために版胴１２の周面に開口している溝部が、印刷中に接触しながら回転しているブランケット胴１３に対向した際、あるいは、ブランケット胴１３の外周面にブランケット装着のために開口する溝に沿って生じるブランケット面の凹部が版胴１２に対向した際に、転写圧が一瞬減少、あるいは、ほとんどなくなることによって、転写圧の反力によって生じていた撓みが一瞬減少、あるいは、ほとんどなくなり、版胴１２に振動が発生する。そして、その振動が収束するまでに版胴１２とブランケット胴１３間における転写圧が変動するため、印刷された紙面濃度にむらが生じてしまうという問題が存在していた。
【０００９】
しかし、近年、版胴の、刷版を装着するために開口している溝の幅を極力狭くし、さらに、ブランケット胴の外周面に形成されるとともにブランケット装着のために開口する溝の幅も極力狭くし、比較的薄い金属プレートにブランケットを貼り付けて、巻きつけ方向の前後にブランケットの貼り付けられた範囲より延長された金属プレート部のみをブランケット胴の溝に挿入して緊締することによって、ブランケット面の凹部を挟める技術等が提案されており、このような技術等によって、版胴に発生する振動を実用上問題のない範囲に押さえることができるようになったため、４×１型の新聞印刷機をはじめ、１印刷単位長さの１倍の刷版を装着する周長である版胴のオフセット輪転印刷機が採用されるようになってきた。
【００１０】
新聞においては、毎日異なる記事を印刷するのはもちろんであるが、例えば、１回の朝刊印刷を行う間にも、新聞の配達される地域や、時間の経過にともなって記事の内容が変更されるので、刷版を交換する必要がある。また、最近では、自社の新聞印刷の他に、他社の新聞印刷の委託を受けて印刷を行う場合もあるので、毎日使用される刷版はかなりの量に及ぶ。さらに、新聞以外でも印刷物は少量多品種化する傾向にあるため、刷版の消費量も当然多くなる。
【００１１】
ところが、１印刷単位長さの１倍の刷版を装着する周長である版胴のオフセット輪転印刷機、新聞印刷機の場合であれば、４×１型の新聞印刷機は、従来の４×２型の新聞印刷機に比べ、使用するすべての刷版の量が半分ですむので、刷版製作の費用や時間が節約でき、印刷を行う者にとって、そのメリットは大きい。
【００１２】
なお、上述した従来のオフセット輪転印刷機を開示する先行技術文献として、例えば、下記特許文献１等が存在している。
【先行技術文献】
【特許文献】
【００１３】
【特許文献１】特開２００８−２９０４２２号公報
【発明の概要】
【発明が解決しようとする課題】
【００１４】
しかしながら、幅の広い連続紙に印刷可能なオフセット輪転印刷機において、１印刷単位長さの１倍の刷版を装着する周長の版胴を有するオフセット輪転印刷機が実用化に至ったのは最近のことであり、耐用年数が長く、高価なオフセット輪転印刷機を簡単に更新することができない場合もある。また、既存の、１印刷単位長さの複数倍の刷版を装着する周長の版胴を有するオフセット輪転印刷機を併用しながら、新規に増設しようとするオフセット輪転印刷機を、１印刷単位長さの１倍の刷版を装着する周長の版胴を有するタイプにした場合、複数倍の周長の版胴用の刷版と１倍の周長の版胴用の刷版の両方を製作する必要があり、２種類の版材を準備する手間と、２種類の製版設備を設置する場所を要する問題が生じていた。
【００１５】
本発明は、上述した従来技術が有する問題に鑑みて成されたものであり、その目的は、既存の、１印刷単位長さの複数倍の刷版を装着する周長の版胴を有するオフセット輪転印刷機の使用可能な構成、及び部品を活用し、少ない費用で刷版消費量が少なくてすむ１印刷単位長さの１倍の刷版を装着する周長の版胴を有するオフセット輪転印刷機の製作方法及びその製作方法によって製作したオフセット輪転印刷機を提供することにある。
【課題を解決するための手段】
【００１６】
上記目的を達成するために、本発明に係るオフセット輪転印刷機の製作方法は、ブランケット胴と、１回転で１印刷単位長さのＮ倍（Ｎは２以上の整数）の長さを印刷する刷版を装着可能な周長の版胴と、インキ供給機構と、を有する元のオフセット輪転印刷機から、新たなオフセット輪転印刷機を製作する方法であって、前記版胴を取り外す工程と、１回転で１印刷単位長さの１倍の長さを印刷する刷版を装着できる周長を有する新たな版胴を、前記ブランケット胴に隣接して設ける工程と、新たな版胴が前記取り外した版胴の回転数のＮ倍の回転数で駆動可能であるように、版胴駆動手段を改変するか、又は、新たな版胴駆動手段と置き換える工程と、前記インキ供給機構を、新たな版胴に装着された刷版にインキを供給可能であるように改変するか、又は、新たなインキ供給機構と置き換える工程と、を含む処理を実行することを特徴とするものである。
【００１７】
また、本発明に係るオフセット輪転印刷機の製作方法は、前記ブランケット胴を、装着されたブランケット表面の直径が前記ブランケット胴と同一でありながらブランケット装着のための溝を変更した新たなブランケット胴と置き換える工程をさらに含むこととすることができる。
【００１８】
さらに、本発明に係るオフセット輪転印刷機の製作方法は、新たな版胴に装着された刷版に湿し水を供給可能であるように、湿し水供給機構を新設するか、又は、従前の湿し水供給機構を改変するか、若しくは、新たな湿し水供給機構と置き換える工程をさらに含むこととすることができる。
【００１９】
本発明に係る別のオフセット輪転印刷機の製作方法は、ブランケット胴と、１回転で１印刷単位長さのＮ倍（Ｎは２以上の整数）の長さを印刷する刷版を装着できる周長を有する版胴と、インキ供給機構と、前記ブランケット胴、前記版胴、及び前記インキ供給機構が装着されたフレームと、を有する元のオフセット輪転印刷機から、新たなオフセット輪転印刷機を製作する方法であって、前記版胴に換えて、１回転で１印刷単位長さの１倍の長さを印刷する刷版を装着できる周長を有する新たな版胴をブランケット胴に隣接して取り付け可能であり、また、新たな版胴を前記取り外した版胴の回転数のＮ倍の回転数で駆動可能である版胴駆動手段を取り付け可能であり、さらに、新たな版胴に装着された刷版にインキを供給可能であるようにインキ供給機構を取り付け可能である新たなフレームに対して、前記フレームに取り付けられている部品を取り外す工程と、前記新たな版胴を取り付ける工程と、新たな版胴を前記取り外した版胴の回転数のＮ倍の回転数で駆動可能である版胴駆動手段を取り付ける工程と、新たな版胴に装着された刷版にインキを供給可能であるインキ供給機構を取り付ける工程と、を含む処理を実行することを特徴とするものである。
【００２０】
また、本発明に係る別のオフセット輪転印刷機の製作方法では、新たなフレームに、装着されたブランケット表面の直径が前記ブランケット胴と同一でありながらブランケット装着のための溝を変更した新たなブランケット胴を取り付ける工程をさらに含むこととすることができる。
【００２１】
さらに、本発明に係る別のオフセット輪転印刷機の製作方法において、新たなフレームには、新たな版胴に装着された刷版に湿し水を供給可能であるように湿し水供給機構が取り付け可能であり、新たな版胴に装着された刷版に湿し水を供給可能である湿し水供給機構を取り付ける工程をさらに含むこととすることができる。
【００２２】
本発明に係るオフセット輪転印刷機は、ブランケット胴と、１回転で１印刷単位長さのＮ倍（Ｎは２以上の整数）の長さを印刷する刷版を装着できる周長を有する版胴と、インキ供給機構と、を有する元のオフセット輪転印刷機を改変することで新たに製作されたオフセット輪転印刷機であって、前記元のオフセット輪転印刷機から、前記版胴が取り外され、１回転で１印刷単位長さの１倍の長さを印刷する刷版を装着できる周長を有する新たな版胴が、前記ブランケット胴に隣接して設けられ、新たな版胴が前記取り外した版胴の回転数のＮ倍の回転数で駆動可能であるように、版胴駆動手段が改変されるか、又は、新たな版胴駆動手段と置き換えられ、前記インキ供給機構が、新たな版胴に装着された刷版にインキを供給可能であるように改変されるか、又は、新たなインキ供給機構と置き換えられたことで構成されることを特徴とするものである。
【００２３】
また、本発明に係るオフセット輪転印刷機では、前記ブランケット胴が新たなブランケット胴と置き換えられ、新たなブランケット胴は、装着されたブランケット表面の直径が前記ブランケット胴と同一でありながらブランケット装着のための溝を変更した構成を備えることとすることができる。
【００２４】
さらに、本発明に係るオフセット輪転印刷機では、新たな版胴に装着された刷版に湿し水を供給可能であるように、湿し水供給機構が新設されるか、又は、従前の湿し水供給機構が改変されるか、若しくは、新たな湿し水供給機構と置き換えられた構成をさらに備えることとすることができる。
【００２５】
本発明に係る別のオフセット輪転印刷機は、ブランケット胴と、１回転で１印刷単位長さのＮ倍（Ｎは２以上の整数）の長さを印刷する刷版を装着できる周長を有する版胴と、インキ供給機構と、前記ブランケット胴、前記版胴、及び前記インキ供給機構が装着されたフレームと、を有する元のオフセット輪転印刷機を改変することで新たに製作されたオフセット輪転印刷機であって、１回転で１印刷単位長さの１倍の長さを印刷する刷版を装着できる周長を有する新たな版胴を、ブランケット胴に隣接して取り付け可能であり、また、新たな版胴を前記取り外した版胴の回転数のＮ倍の回転数で駆動可能である版胴駆動手段を取り付け可能であり、さらに、新たな版胴に装着された刷版にインキを供給可能であるようにインキ供給機構を取り付け可能である新たなフレームに対して、前記新たな版胴が設けられ、新たな版胴を前記取り外した版胴の回転数のＮ倍の回転数で駆動可能である版胴駆動手段が設けられ、新たな版胴に装着された刷版にインキを供給可能であるようにインキ供給機構が設けられて構成されたことを特徴とするものである。
【００２６】
また、本発明に係る別のオフセット輪転印刷機では、新たなブランケット胴を取り付け可能であり、新たなフレームに、前記ブランケット胴に換えて、装着されたブランケット表面の直径は前記ブランケット胴と同一でありながらブランケット装着のための溝を変更した新たなブランケット胴が取り付けられた構成をさらに含むこととすることができる。
【００２７】
さらに、本発明に係る別のオフセット輪転印刷機において、新たなフレームには、新たな版胴に装着された刷版に湿し水を供給可能であるように、湿し水供給機構が取り付け可能であり、新たな版胴に装着された刷版に湿し水を供給可能である湿し水供給機構を取り付けた構成をさらに含むこととすることができる。
【発明の効果】
【００２８】
本発明によれば、１印刷単位長さの複数倍の周長の版胴を有するオフセット輪転印刷機の、少なくともインキ供給機構及び湿し水供給機構の主要部、モーターやその回転を伝えるギヤーの多くの部分などの主要な構成、部品を流用することが可能であるため、新しく１印刷単位長さの１倍の刷版を装着する周長の版胴を有するオフセット輪転印刷機に更新するのに比べて、必要となる費用が安くて済むという効果を得ることができる。さらに、従前のフレームを流用し、オフセット輪転印刷機が設置されている場所で改変を行えば、オフセット輪転印刷機のフレーム上部に構成されている、連続紙を案内する上部構造、所謂レールフレームがある場合、それを一旦解体する必要がないので、工期も短くてすむという利点が得られる。新たなフレームを採用する場合には、補助フレームを従前のフレーム内面に取り付ける必要がないので、フレーム内面の間隔寸法が狭まることがなく、従前のフレームを流用して補助フレームを使用する構成に比べて、従前のインキ供給機構及び従前の湿し水供給機構を構成する部品を、より多く流用することが可能であるとともに、新たな版胴に対する版胴駆動手段及びインキ供給機構並びに湿し水供給機構を最適な位置に精度よく配置することができる。
【図面の簡単な説明】
【００２９】
【図１】４×２型の新聞印刷機Ｃ２を、本発明の方法によって改変して製作した４×１型の第１実施例である新聞印刷機Ｃ１２の構成を示す断面図である。
【図２】新聞印刷機Ｃ１２の版胴アセンブリー１２０、ブランケット胴アセンブリー３０及びインキ供給機構１４０の一部を軸と平行に展開して示した図である。
【図３】モーター１１から駆動されている新たな版胴１２１、ブランケット胴３１、そして、インキ供給機構１４０の新たな第３インキシリンダー１４７、第２インキシリンダー４４及び第１インキシリンダー４２、そして湿し水供給機構１５０の新たな水元ローラー１５２に駆動力を伝える駆動系統を示した図である。
【図４】新聞印刷機Ｃ２から不要となる構成及び改変のための構成を取り外した状態を示す断面図である。
【図５】新聞印刷機Ｃ２の構成を示す断面図である。
【図６】新聞印刷機Ｃ２の版胴アセンブリー２０、ブランケット胴アセンブリー３０及びインキ供給機構４０の一部を軸と平行に展開して示した図である。
【図７】モーター１１から駆動されている版胴２１、ブランケット胴３１、そして、インキ供給機構４０の第１インキシリンダー４２及び第２インキシリンダー４４、湿し水供給機構５０の水元ローラー５２に駆動力を伝える駆動系統を示した図である。
【図８】４×１型の新聞印刷機の１例である、新聞印刷機Ｃ１の構成を示す断面図である。
【発明を実施するための形態】
【００３０】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００３１】
まず、本発明のオフセット輪転印刷機の製作方法について、その実施例として新聞印刷機を例にとって図を参照して説明する。ここで、図５は、４×２型の新聞印刷機Ｃ２の構成を示す断面図である。また、図６は、新聞印刷機Ｃ２の版胴アセンブリー２０、ブランケット胴アセンブリー３０及びインキ供給機構４０の一部を軸と平行に展開して示した図である。さらに、図７は、モーター１１から駆動されている版胴２１、ブランケット胴３１、そして、図示しないギヤーを介して、インキ供給機構４０の第２インキシリンダー４４及び第１インキシリンダー４２、湿し水供給機構５０の水元ローラー５２に駆動力を伝える駆動系統を示した図である。なお、図７中の矢印は、駆動されている胴、ローラー及びシリンダーの回転方向を示している。
【００３２】
新聞印刷機Ｃ２は、連続紙Ｗの両面に印刷可能なオフセット輪転印刷機であり、連続紙Ｗを挟んで、版胴アセンブリー２０、ブランケット胴アセンブリー３０、インキ供給機構４０、湿し水供給機構５０と、それらを回転駆動するモーターアセンブリー１０がそれぞれ配置された構成となっている。
【００３３】
版胴アセンブリー２０は、軸２１ａ、２１ｂを有する版胴２１、軸受けが組み込まれたスリーブ２２ａ、２２ｂ、軸２１ａに取り付けられた版胴ギヤー２３からなっている。
【００３４】
版胴２１の周面には、周長方向に新聞１ページの縦の長さの２倍の寸法、そして、その軸方向に新聞１ページの横幅の２倍の寸法の図示しない刷版を２枚並べて、都合新聞１ページの横幅の４倍の寸法の刷版を装着することができる。
【００３５】
ブランケット胴アセンブリー３０は、軸３１ａ、３１ｂを有するブランケット胴３１、軸受けが組み込まれたスリーブ３２ａ、３２ｂ、軸３１ａに取り付けられたブランケット胴ギヤー３３からなっている。
【００３６】
ブランケット胴３１の周面には、幅が新聞１ページの横幅の２倍の寸法に対応する図示しないブランケットが、軸方向に２枚、隙間のないように並べて巻き付けられ、装着されている。ブランケット胴３１に装着されているブランケット表面までの直径は、版胴２１に装着された刷版表面までの直径と略同じである。なお、ブランケット胴３１に装着されているブランケット表面までの直径と、版胴２１に装着された刷版表面までの直径との関係については、等径法やトルーローリング法といった考え方が既知である。
【００３７】
版胴２１は、両端の軸２１ａ、２１ｂをそれぞれ軸受けが組み込まれたスリーブ２２ａ、２２ｂによって回転可能に支持されている。スリーブ２２ａ、２２ｂは、新聞印刷機Ｃ２の一対のフレームｆ２ａ、ｆ２ｂに設けられている穴ｈ２ａ、ｈ２ｂに嵌合されている。一方の軸２１ａは、スリーブ２２ａよりさらにフレームｆ２ａの外面に突き出ており、版胴ギヤー２３が取り付けられている。
【００３８】
ブランケット胴３１は、両端の軸３１ａ、３１ｂを、それぞれ軸受けが組み込まれたスリーブ３２ａ、３２ｂによって回転可能に支持されている。そして、スリーブ３２ａ、３２ｂは、新聞印刷機Ｃ２の一対のフレームｆ２ａ、ｆ２ｂに設けられている穴に嵌合されている。一方の軸３１ａは、スリーブ３２ａよりさらにフレームｆ２ａの外面に突き出ており、ブランケット胴ギヤー３３が取り付けられており、ブランケット胴ギヤー３３は、隣接する版胴アセンブリー２０の版胴ギヤー２３と噛み合っている。また、スリーブ３２ａ、３２ｂは、支持している軸３１ａ、３１ｂの中心と、フレームｆ２ａ、ｆ２ｂの穴に嵌合されている外周面の中心が偏心しており、スリーブ３２ａ、３２ｂを適宜な機構によって角変位させることによって、隣接する版胴２１に装着されている刷版とブランケット胴３１に装着されているブランケットとの相互間に、予め設定された転写圧を発生させる印刷位置と、相互間に隙間が得られる非印刷位置との２位置にブランケット胴３１を移動して位置決めできる。
【００３９】
また、隣接する版胴２１に装着されている刷版とブランケット胴３１に装着されているブランケットとの相互間に予め設定された転写圧を発生させる印刷位置では、一方のブランケット胴３１と隣接する他方のブランケット胴３１の周面との間に挟んだ連続紙Ｗに対して予め設定された印圧を発生させ、隣接する版胴２１に装着されている刷版とブランケット胴３１に装着されているブランケットとの相互間に隙間が得られる非印刷位置では、２つのブランケット胴３１、３１の周面の間に隙間が得られるように、スリーブ３２ａ、３２ｂの偏心位置関係が設定されている。
【００４０】
モーターアセンブリー１０は、モーター１１（図５に破線で示す）、フレームｆ２ａの外面にモーター１１を取り付ける図示しないブラケット、モーター１１の出力軸に取り付けられている図示しない駆動元ギヤー、駆動元ギヤーと版胴アセンブリー２０の版胴ギヤー２３の双方に噛み合って、モーター１１の駆動力を版胴２１に伝える図示しないアイドルギヤーからなっており、モーターアセンブリー１０と版胴ギヤー２３とによって版胴駆動手段を形成している。
【００４１】
版胴ギヤー２３は、前述のとおり、モーターアセンブリー１０のアイドルギヤーと噛み合っているとともに、ブランケット胴ギヤー３３とも噛み合っている。
【００４２】
版胴ギヤー２３とブランケット胴ギヤー３３は同じ歯数であり、版胴２１とブランケット胴３１は同じ回転数で逆向きに回転する。
【００４３】
なお、新聞印刷機Ｃ２においては、連続紙Ｗを挟んで左右に配置されている一方のブランケット胴アセンブリー３０のブランケット胴ギヤー３３と、他方のブランケット胴アセンブリー３０のブランケット胴ギヤー３３とは、フレームｆ２ａ外面からの距離を異ならせてあり、噛み合っていないが、一方のモーター１１と他方のモーター１１は、印刷を行う際には同期がとられ、１対のブランケット胴３１、３１及び版胴２１、２１は同じ回転数で、かつ、連続紙Ｗの表裏の印刷位置が整合するように制御されて駆動される。
【００４４】
インキ供給機構４０は、モーター１１とは別の駆動源によって駆動されるインキ供給源４１、例えばインキレール、あるいはインキつぼ等から供給されるインキを、第１インキシリンダー４２、渡りローラー４３、第２インキシリンダー４４を経由して２本のインキ着けローラー４５、４６によって刷版２１に供給する。第１インキシリンダー４２及び第２インキシリンダー４４は、モーター１１の駆動力によって駆動されている。図６のギヤー４４ｅは、第２インキシリンダー４４の軸４４ａに取り付けられており、図示しないギヤーを介して、モーター１１の駆動力によって回転駆動される。第１インキシリンダー４２も同様に図示しないギヤーを介して、モーター１１の駆動力によって回転駆動される。第２インキシリンダー４４を回転可能に支持しているスリーブ４４ｃ、４４ｄには、インキ着けローラー４５を回転可能に支持するブラケット４５ｃ、４５ｄとインキ着けローラー４６を回転可能に支持するブラケット４６ｃ、４６ｄが取り付けられている。
【００４５】
湿し水供給機構５０は、例えばスプレーノズルである湿し水供給源５１から供給される湿し水を、水元ローラー５２を経由させて水着けローラー５３によって版胴２１に装着されている刷版に供給する。水元ローラー５２は、図示しないギヤーを介してモーター１１の駆動力によって回転駆動されている。
【００４６】
次に、版胴が新聞１ページの縦の長さ（１印刷単位長さ）の１倍の長さを印刷する刷版を装着する周長である新聞印刷機の製作工程及びその工程に従って製作された新聞印刷機について、その概要を説明する。
【００４７】
図１は、４×２型の新聞印刷機Ｃ２を、本発明の方法によって改変して製作した４×１型の第１実施例である新聞印刷機Ｃ１２の構成を示す断面図である。また、図２は、新聞印刷機Ｃ１２の版胴アセンブリー１２０、ブランケット胴アセンブリー３０及びインキ供給機構１４０の一部を軸と平行に展開して示した図である。さらに、図３は、モーター１１から図示しない新たなアイドルギヤーを介して駆動されている新たな版胴１２１、ブランケット胴３１、そして、図示しないギヤーを介して、インキ供給機構１４０の新たな第３インキシリンダー１４７、第２インキシリンダー４４及び第１インキシリンダー４２、そして湿し水供給機構１５０の新たな水元ローラー１５２に駆動力を伝える駆動系統を示す図である。なお、図３中の矢印は、胴、ローラー及びシリンダーの回転方向を示している。
【００４８】
４×１型の新聞印刷機Ｃ１２を製作するにあたり、まず、４×２型の新聞印刷機Ｃ２の版胴アセンブリー２０を取り外す。新たな版胴アセンブリー１２０は、軸１２１ａ、１２１ｂを有する版胴１２１、軸受けが組み込まれたスリーブ１２２ａ、１２２ｂ、軸１２１ａに取り付けられた版胴ギヤー１２３からなっている。そして、新たな版胴アセンブリー１２０を、版胴１２１がブランケット胴３１に隣接する位置に取り付ける。
【００４９】
版胴１２１の周面には、周長方向に新聞１ページの縦の長さの１倍、そしてその軸方向に新聞１ページの横幅の２倍の寸法の図示しない刷版を２枚並べて都合新聞１ページの横幅の４倍の寸法の刷版を装着することができる。
【００５０】
版胴１２１は、両端の軸１２１ａ、１２１ｂをそれぞれスリーブ１２２ａ、１２２ｂによって回転可能に支持されており、スリーブ１２２ａ、１２２ｂは新聞印刷機Ｃ１２の一対のフレームｆ２ａ、ｆ２ｂの内側に取り付けられた補助フレームｆ１ａ、ｆ１ｂの穴に嵌合されている。一方の軸１２１ａはスリーブ１２２ａよりさらにフレームｆ２ａの外面に突き出ており、版胴ギヤー１２３が取り付けられている。
【００５１】
前述の、版胴１２１がブランケット胴３１に隣接する位置とは、ブランケット胴アセンブリー３０のスリーブ３２ａ、３２ｂを角変位させて、ブランケット胴３１を印刷位置と非印刷位置とに移動させることによって、版胴１２１に装着されている刷版とブランケット胴３１に装着されているブランケットとの相互間に、印刷位置では予め設定された転写圧が得られ、また、非印刷位置では相互間に隙間が得られる位置である。
【００５２】
版胴２１に換えて新たな版胴１２１とすることによって、版胴の径が半分になるため、版胴１２１に装着された刷版にインキを供給する２本のインキ着けローラー４５、４６と湿し水を供給する水着けローラー４５は、版胴周面に接することができなくなる。
【００５３】
そこで、従前のインキ供給機構４０は、そのインキ供給源４１、第１インキシリンダー４２、渡りローラー４３、第２インキシリンダー４４と１本のインキ着けローラー４５までを流用し、インキ着けローラー４６を取り外して、インキ着けローラー４５に接触可能な新たな第３インキシリンダー１４７と新たな２本のインキ着けローラー１４８、１４９を追加設置する改変を行い、改変インキ供給機構１４０とする。これによって、新たな版胴１２１にインキを供給可能にするものである。
【００５４】
また、従前の湿し水供給機構５０は、湿し水供給源５１の一部、例えば複数のスプレーノズルが装着されたスプレーバーを流用して改変し、改変湿し水供給源１５１とし、新たな水元ローラー１５２と新たな水着けローラー１５３を設置する改変を行い、改変湿し水供給機構１５０として新たな版胴１２１に湿し水を供給可能にするものである。
【００５５】
一方、版胴周長が半分になるので、周面速度をブランケット胴３１と同じにするために、新たな版胴１２１は従前の版胴２１の２倍の回転数で駆動する必要がある。したがって、新たな版胴１２１の軸１２１ａに取り付けられている版胴ギヤー１２３は、従前の版胴２１の軸２１ａに取り付けられていた版胴ギヤー２３の半分の歯数となる（ピッチ円直径も半分となる。）。
【００５６】
新たな版胴１２１は、従前のブランケット胴３１に隣接して設けるので、版胴ギヤー１２３は、フレームｆ２ａの外面からの距離を版胴ギヤー２３と同じにすれば、ブランケット胴ギヤー３３とは噛み合う位置関係となる。しかし、フレームｆ２ａの外面に取り付けられ、版胴ギヤー２３と噛み合っていたモーターアセンブリー１０のアイドルギヤーとは、噛み合わなくなる。
【００５７】
そこで、従前のアイドルギヤーを取り外し、モーター１１の出力軸に取り付けられている駆動元ギヤーと、版胴ギヤー１２３との双方に噛み合う、図示しない新たなアイドルギヤーを設けることによって、版胴駆動手段を改変し、新たな版胴１２１を従前の版胴２１の２倍の回転数で駆動可能とする。新たなアイドルギヤーは、適宜な歯数のギヤーをフレームｆ２ａの外面の適宜な位置に取り付けることによって、モーター１１の駆動力を版胴１２１に伝える。なお、モーター１１の位置を変えることも可能であり、その場合は、モーター１１を取り付けるブランケットを新たなブランケットとしてもよい。
【００５８】
従前の版胴ギヤー２３と噛み合ってインキ供給機構４０の第２インキシリンダー４４、第１インキシリンダー４２及び湿し水供給機構５０の水元ローラー５２に駆動を伝えていた図示しないギヤーも、新たな版胴ギヤー１２３とは噛み合わなくなる。
【００５９】
しかも、改変インキ供給機構１４０や改変湿し水供給機構１５０の駆動されるシリンダー、ローラーの位置や本数が変わるので、それらに駆動を伝えるギヤーも一部を移設し、さらに新たなギヤーを追加する等によって、第１インキシリンダー４２、第２インキシリンダー４４、新たな第３インキシリンダー１４７及び新たな水元ローラー１５２を駆動可能とする。
【００６０】
なお、電気配線、油、水及びエアー配管、カバー類に関しては、説明を省略している。また、インキ着けローラー及び水着けローラーのトリップ機構、各ローラー間のニップ調整機構等の付帯機構の改変は、適宜行うものとして説明を省略する。さらに、構成や取り付け位置に変更はないが、以下に説明する作業を行ううえで、一時的に取り外し、あるいは移動する必要があるものについても説明を省略している。
【００６１】
さらに詳しく説明を加える。まず、４×２型の新聞印刷機Ｃ２から不要となる構成及び改変のために取り外す構成を以下に示す。
（１）版胴アセンブリー２０。
（２）インキ供給機構４０のインキ着けローラー４６。
（３）湿し水供給機構５０。
（４）モーターアセンブリー１０のアイドルギヤー。
【００６２】
図４は、輪転印刷機Ｃ２から上記構成（１）〜（４）を取り外した状態を示す断面図である。２点鎖線で示す穴ｈ２ａ（ｈ２ｂ）は、版胴アセンブリー２０のスリーブ２２ａ（２２ｂ）が嵌合されていた穴であり、穴ｈ５ａ（ｈ５ｂ）は、湿し水供給機構５０の水元ローラー５２のスリーブが嵌合されていた穴である。
【００６３】
次に、フレームｆ２ａ、ｆ２ｂに対して後述する補助フレームｆ１ａ、ｆ１ｂを含む新たな部品や移設する部品を取り付けるために必要なねじ穴等を加工する。また、必要に応じて新たに取り付ける部品が干渉する部位の切り欠きや穴あけ加工も行う。
【００６４】
そして、予め、新たな版胴アセンブリー１２０、改変インキ供給機構１４０の新たに追加される第３インキシリンダー１４７、インキ着けローラー１４８、１４９及び改変湿し水供給機構１５０が取り付けられるように加工がされている補助フレームｆ１ａ、ｆ１ｂを、フレームｆ２ａ、ｆ２ｂの内面にボルト等によって取り付ける。また、加工が施された補助フレームｆ１ａ、ｆ１ｂは、フレームｆ２ａ、ｆ２ａに加工されている既存の穴や側端面を基準として取り付け位置が決められるようになっている。
【００６５】
フレームｆ２ａ、ｆ２ｂに位置決めされ、取り付けられた補助フレームｆ１ａ、ｆ１ｂに、新たな版胴１２１を含む新たな版胴アセンブリー１２０と、新たな版胴１２１に装着される刷版へインキを供給するために改変された改変インキ供給機構１４０の新たなインキシリンダー１４７及びスリーブ１４７ａ、１４７ｂ、新たな２本のインキ着けローラー１４８及びブラケット１４８ａ、１４８ｂ並びにインキ着けローラー１４９及びブラケット１４９ａ、１４９ｂと、新たな版胴１２１に装着される刷版へ湿し水を供給するために改変された改変湿し水供給機構１５０の改変された湿し水供給源１５１と、新たな水元ローラー１５２及び図示しないスリーブと新たな水着けローラー１５３と図示しないブラケットを取り付ける。
【００６６】
一方、フレームｆ２ａの外面の、新たな版胴１２１の軸１２１ａの端部に取り付けられている版胴ギヤー１２３は、前述のとおり、新たなアイドルギヤーを介してモーター１１によって駆動可能とする。
【００６７】
さらに、新たなインキシリンダー１４７の軸端に取り付けられているギヤー１４７ｅ、新たな水元ローラー１５２の軸端に取り付けられている図示しない水元ギヤーに、モーター１１から版胴ギヤー１２３を介して駆動力を伝えるための図示しない新たな複数のギヤーを取り付ける。
【００６８】
上記の工程を行うことによって、４×２型の新聞印刷機Ｃ２を基にして４×１型の新聞印刷機Ｃ１２を製作することができる。なお、本発明の駆動系統については、図３に示すものには限られず、種々の変形形態を採用することが可能である。
【００６９】
上述した第１実施例の新聞印刷機Ｃ１２の基となる新聞印刷機Ｃ２は、連続紙を挟んで右側の版胴及びブランケット胴と左側の版胴及びブランケット胴とを、別々の２台のモーターによって駆動するタイプであったが、左右のブランケット胴の軸端に取り付けられているギヤーが噛み合う構成にして右側、あるいは、左側のモーター１台によって両側の版胴及びブランケット胴を駆動するタイプの印刷機においても、モーターから版胴を駆動するための改造が１個所ですむ他は、本実施例と同様に、１印刷単位長さの１倍の周長である版胴を有するオフセット輪転印刷機に作り変えることができる。
【００７０】
なお、補助フレームに取り付ける新たな構成、あるいは部品及び改変された構成は、本実施形態で説明した形態に限定されるものではなく、一部あるいは全部を直接従前のフレームに取り付けることとしてもよい。したがって、補助フレームを使用しない構成を採用することもできる。
【００７１】
このようにして製作された、版胴周長が１印刷単位長さの１倍であるオフセット輪転印刷機は、ブランケット胴が従前のままであるため、ブランケット胴の外周面にブランケット装着のために開口する溝に沿って生じるブランケット面の凹部が広く、このブランケット面の凹部が印刷中に１印刷単位長さの１倍の周長である新たな版胴に対向することによって、新たな版胴が振動を起こす可能性がある。そこで、ブランケット胴も、従前のブランケット胴を取り外して、装着されたブランケット周面の周長は従前のブランケット胴と同一でありながら、ブランケット面の凹部を狭め、新たなブランケット胴とすることにしてもよい。
【００７２】
また、本出願人が取得した特許第３８７８６２２号の技術、すなわち、ブランケット胴のブランケット面の凹部に埋め部材を挿入することによって、ブランケット面の凹部を埋め部材によって充塞し、従前のブランケット胴を使用しつつ、印刷中に１印刷単位長さの１倍の周長である新たな版胴が振動を起こすことを防ぐこともできる。
【００７３】
ところで、印刷に際し互いに接触回転する版胴とブランケット胴間において、従前のブランケット胴の、軸方向に２枚並べて装着されているブランケット装着のために、それぞれブランケット胴周面に開口する溝の周方向位置が、新たに設ける１印刷単位長さの１倍の周長である版胴の、刷版を装着するために版胴の周面に開口している溝の位置と一致する位相関係である必要がある。
【００７４】
新たに設ける１印刷単位長さの１倍の周長である版胴は径が細いために、刷版を装着するための溝を、軸方向で連続する１個所に設けることが一般的である。一方、従前のブランケット胴の周面に開口する溝の位置は、軸方向で連続する１個所に設けられているとは限らない。なぜならば、ブランケット胴の周面に開口する溝の位置を、軸方向で連続する１個所に設けると、ブランケット胴間で印圧をかけられながら送られる連続紙に、印圧の全くかからない状態が周期的に発生するためである。
【００７５】
従って、新聞印刷機では軸方向に２枚並べて装着されるブランケット装着のための溝の位置を、周方向でずらして設ける（スタガー、又は、スタッガリングと言う）ことが多い。１８０度のスタガーであれば、新たに設けられる１印刷単位長さの１倍の周長である版胴の、軸方向で連続する１個所に設けられた溝とブランケット胴の溝の位置が印刷時に一致する位相関係とすることが可能であるが、ブランケット胴の溝の位置が、１８０度以外のスタガーであった場合は、従前のブランケット胴を使用することはできない。
【００７６】
その場合は、１８０度のスタガーの新たなブランケット胴とする。１８０度スタガーの新たなブランケット胴は、ブランケット装着のために開口する溝に沿って生じるブランケット面の凹部を挟めたブランケット胴とすることも、もちろんよい。
【００７７】
新たに設ける１印刷単位長さの１倍の周長である版胴を、従前の版胴のＮ倍の回転数で駆動可能となる版胴駆動手段は、歯数及び取り付け位置を変更した新たなアイドルギヤーを設けることによって改変する他にも、モーターの回転方向を逆向きとして、駆動元ギヤーを直接版胴ギヤーに噛み合わせる新たな版胴駆動手段と置き換えるようにしてもよい。また、従前の版胴駆動手段が、駆動元ギヤーと版胴ギヤーとが直接噛み合っているタイプの場合は、モーターの回転方向を逆向きとして、駆動元ギヤーと版胴ギヤーの間に新たに双方に噛み合うアイドルギヤーを追加した新たな版胴駆動手段と置き換えることとしてもよい。
【００７８】
新たに設ける版胴に装着された刷版にインキを供給するインキ供給機構は、従前のインキ供給機構の一部、例えば、インキ供給源及びインキシリンダーや渡りローラーを流用して改変することもできるが、すべてを新しくすることとしてもよい。その場合は、インキ供給経路が必要以上に長くならずにすみ（多数のローラーを経由させることなく）、最新のインキ供給源等を採用することもできるので、印刷品質の向上を図ることができる。
【００７９】
また、インキ供給機構の回転駆動されるインキシリンダーは、新たに設けるギヤーを介して印刷機の駆動モーターから駆動を得る構成に限らず、印刷機の印刷速度に同期可能なインキシリンダー駆動用モーターを新たに設けて駆動するようにしてもよい。
【００８０】
新たに設ける版胴に装着された刷版に湿し水を供給する湿し水供給機構は、従前の湿し水供給機構の一部、例えば、湿し水供給源であるスプレーバーを流用して改変することとしてもよいが、すべてを新しくしてもよい。その場合は、最新の湿し水供給源等を採用することもできるので、印刷品質の向上を図ることができる。
【００８１】
また、湿し水供給機構の回転駆動される水元ローラーは、新たに設けるギヤーを介して印刷機の駆動モーターから駆動を得る構成に限らず、印刷機の印刷速度に同期可能な水元ローラー駆動用モーターを新たに設けて駆動することとしてもよい。
【００８２】
さらに、新たな版胴に装着する刷版に、水なし平板を使用すれば、湿し水供給機構を設ける必要がないので、従前の湿し水供給機構を取り外すか、そのまま放置してもよい。初めから水なし平板を使用するオフセット輪転印刷機であれば、湿し水供給機構を新設して、通常の平板による印刷が可能であるようにしてもよい。
【００８３】
ところで、例えば、基となる４×２型の新聞印刷機（１回転で、１印刷単位長さの複数倍の長さを印刷する刷版を装着可能な周長の版胴を有するオフセット輪転印刷機）が解体を伴うオーバーホールを行う時期であれば、それに合わせて４×１型の新聞印刷機（１回転で１印刷単位長さの１倍の長さを印刷する刷版を装着する周長の新たな版胴を有するオフセット輪転印刷機）への改変を行えば、従前のフレームに取り付けられている部品の多くが一旦取り外されるので、作業が行いやすい。
【００８４】
さらに、例えば、基となる４×２型の新聞印刷機（１回転で、１印刷単位長さの複数倍の長さを印刷する刷版を装着可能な周長の版胴を有するオフセット輪転印刷機）の、解体を伴うオーバーホール、すなわち、新聞印刷機を、それが設置されている位置から一旦撤去して、然るべき場所で行う分解整備（例えば、ブランケット胴アセンブリーや版胴アセンブリーの軸受けを交換するために、それらアセンブリーの分解を伴うような整備）と合わせて前記４×２型の新聞印刷機から４×１型の新聞印刷機Ｃ１２を製作する場合、第２実施例として印刷機の従前のフレームに替えて新たなフレームとすることもよい。
【００８５】
第２実施例では、新たなフレームには、予め、ブランケット胴アセンブリーを取り付けるための穴（ここで言う「穴」とは、軸受けが組み込まれたスリーブが嵌合される穴、及びスリーブを含む部品を取り付け、固定するための位置決め穴、並びにねじ穴を含む。以下同様。）、新たな版胴アセンブリーを取り付けるための穴、新たな版胴を従前の版胴の２倍の回転数で駆動可能とする版胴駆動手段を取り付けるための穴、及び新たな版胴にインキを供給するインキ供給機構並びに湿し水を供給する湿し水供給機構を取り付けるための穴を含む必要な各種加工をしておくことによって、ブランケット胴アセンブリー、新たな版胴アセンブリー、新たな版胴を駆動する改変された版胴駆動手段又は新たな版胴駆動手段、及び新たな版胴にインキを供給する改変されたインキ供給機構又は新たなインキ供給機構並びに湿し水を供給する改変された湿し水供給機構又は新たな湿し水供給機構を新たなフレームに取り付けることとなる。
【００８６】
第１実施例と同様に、ブランケット胴の溝の位置が、１８０度以外のスタガーであった場合は、１８０度スタガーの新たなブランケット胴とする。１８０度スタガーの新たなブランケット胴は、ブランケット装着のために開口する溝に沿って生じるブランケット面の凹部を挟めたブランケット胴とすることも、もちろんよい。
【００８７】
第２実施例では、補助フレームを新聞印刷機の従前のフレーム内面に取り付ける必要がないので、フレーム内面の間隔寸法が狭まることがなく、従前のフレームを流用して補助フレームを使用する構成に比べて、従前のインキ供給機構及び従前の湿し水供給機構を構成する部品を、より多く流用することが可能であるとともに、新たな版胴に対する版胴駆動手段及びインキ供給機構並びに湿し水供給機構を最適な位置に配置することができる。
【００８８】
以上のように、新聞印刷機の従前のフレームに替えて新たなフレームとすることによって、ブランケット胴アセンブリーのブランケット胴を回転可能に支持するスリーブは勿論、新たな版胴アセンブリーを回転可能に支持するスリーブが勘合される穴や、新たな版胴を駆動する版胴駆動手段を取り付けるための各種穴、そして、新たな版胴に、インキを供給するインキ供給機構及び湿し水を供給する湿し水供給機構を取り付けるための各種穴を、予め精度よく加工することが可能であり、しかも、補助フレームを新聞印刷機の従前のフレーム内面に取り付ける必要がないので、フレーム内面の間隔寸法が狭まることがなく、インキ供給機構及び湿し水供給機構を構成する部品を、より多く流用することが可能となる。
【００８９】
なお、上述した実施形態は例であって、印刷機械の用途、構成の違いによって胴、ローラー、シリンダー等の配置や数には様々な種類がある。印刷される連続紙が垂直方向に走行するオフセット輪転印刷機以外にも、連続紙が水平方向に走行するタイプもあり、その場合、ブランケット胴は連続紙を挟んで上下に配置されており、版胴は、上側ブランケット胴に対してはその周面の上側半面に隣接して配置されており、下側ブランケット胴に対してはその周面の下側半面に隣接して配置される。また、連続紙の片面に印刷を行うオフセット輪転印刷機であれば、連続紙はブランケット胴と、印刷機能を持たない、すなわち、版胴が隣接して設けられていない圧胴に挟まれてブランケット胴との間に印圧がかけられている。
【００９０】
１回転で、１印刷単位長さの複数倍の長さを印刷する刷版を装着可能な周長の版胴を有するオフセット輪転印刷機であれば、いずれのタイプのオフセット輪転印刷機であっても、請求項に記載の方法によって１回転で１印刷単位長さの１倍の長さを印刷する刷版を装着する周長の版胴を有するオフセット輪転印刷機を製作することができる。
【符号の説明】
【００９１】
Ｃ１，Ｃ２，Ｃ１２  新聞印刷機、１０  モーターアセンブリー、１１  モーター、２０  版胴アセンブリー、１２，２１  版胴、２１ａ，２１ｂ  軸、２２ａ，２２ｂ  スリーブ、２３  版胴ギヤー、３０  ブランケット胴アセンブリー、１３，３１  ブランケット胴、３１ａ，３１ｂ  軸、３２ａ，３２ｂ  スリーブ、３３  ブランケット胴ギヤー、１４，４０  インキ供給機構、４１  インキ供給源、４２  第１インキシリンダー、４３  渡りローラー、４４  第２インキシリンダー、４４ａ，４４ｂ  軸、４４ｃ，４４ｄ  スリーブ、４４ｅ  ギヤー、４５，４６  インキ着けローラー、４５ａ，４５ｂ，４６ａ，４６ｂ  ブラケット、１５，５０  湿し水供給機構、５１  湿し水供給源、５２  水元ローラー、５３  水着けローラー、１２０  新たな版胴アセンブリー、１２１  新たな版胴、１２１ａ，１２１ｂ  軸、１２２ａ，１２２ｂ  スリーブ、１２３  版胴ギヤー、１４０  改変インキ供給機構、１４７  第３インキシリンダー、１４７ａ，１４７ｂ  軸、１４７ｃ，１４７ｄ  スリーブ、１４７ｅ  ギヤー、１４８，１４９  インキ着けローラー、１４８ａ，１４８ｂ，１４９ａ，１４９ｂ  ブラケット、１５０  改変湿し水供給機構、１５１  湿し水供給源、１５２  水元ローラー、１５３  水着けローラー、ｆ１ａ，ｆ１ｂ  補助フレーム、ｆ２ａ，ｆ２ｂ  フレーム、Ｗ  連続紙。
【図１】
0005505885.tif 000002
【図２】
0005505885.tif 000003
【図３】
0005505885.tif 000004
【図４】
0005505885.tif 000005
【図５】
0005505885.tif 000006
【図６】
0005505885.tif 000007
【図７】
0005505885.tif 000008
【図８】
0005505885.tif 000009